(57)【要約】【課題】装置の小型化を維持し、製造コストを抑えつつ、装置に対する不正防止を図ることができる金銭処理装置を提供すること。【解決手段】筐体１ａからの引出及び開放が可能な硬貨処理ユニット１ｂ内の硬貨の入出金処理を行う金銭処理装置であって、硬貨処理ユニット１ｂ内に設けられた既存のアクチュエータ１２ａに、電源断による休止状態で筐体１ａに係合して硬貨処理ユニット１ｂの引出または開放をロックする係合部５０を設け、休止状態で係合部５０は筐体１ａの凹部係合部５１に係合して硬貨処理ユニット１ｂの引出をロックする。【選択図】図４
2018010351.tif 000002
【特許請求の範囲】
【請求項１】
筐体からの引出及び開放が可能な貨幣ユニット内の貨幣の入出金処理を行う金銭処理装置であって、
前記貨幣ユニット内に設けられた既存のアクチュエータに、電源断による休止状態で前記筐体に係合して前記貨幣ユニットの引出または開放をロックする係合部を設けたことを特徴とする金銭処理装置。
【請求項２】
前記係合部は複数の既存のアクチュエータに設けられ、各係合部は、前記貨幣ユニットの引出及び開放の動作に対して段階的にロックすることを特徴とする請求項１に記載の金銭処理装置。
【請求項３】
前記既存のアクチュエータは、搬送路上に設けられた切換ゲートであることを特徴とする請求項１または２に記載の金銭処理装置。
【請求項４】
前記係合部を有する既存のアクチュエータは、鍵の開放動作に連動してロックを解除することを特徴とする請求項１〜３のいずれか一つに記載の金銭処理装置。
【請求項５】
前記貨幣ユニットが前記筐体に対して引出状態または開放状態である否かを検出する開閉センサと、
外部電源からの電源供給をオンオフする外部電源スイッチと、
前記貨幣ユニット内に設けられた内部電源と、
前記内部電源の電源供給を無電源でオンオフする内部電源スイッチと、
前記貨幣ユニット内に設けられ前記外部電源及び前記内部電源に接続可能な制御部と、
前記貨幣ユニット内に設けられ前記外部電源及び前記内部電源に接続可能な記憶部と、
を備え、
前記制御部は、前記貨幣ユニットが筐体からの引出状態または開放状態の場合、前記内部電源からの電源供給を受けて、前記開閉センサの検出結果を少なくとも前記記憶部に記憶することを特徴とする請求項１〜４のいずれか一つに記載の金銭処理装置。
【請求項６】
前記内部電源は、外部通信接続ケーブルを介して供給される電源であることを特徴とする請求項５に記載の金銭処理装置。
【請求項７】
前記内部電源スイッチは、前記貨幣ユニットが筐体からの引出状態または開放状態の場合に前記内部電源スイッチをオンし、前記貨幣ユニットが筐体に対して閉鎖状態の場合に前記内部電源スイッチをオフするメカスイッチであることを特徴とする請求項５または６に記載の金銭処理装置。
【請求項８】
前記内部電源スイッチは、前記貨幣ユニットが筐体からの引出状態または開放状態の場合に前記内部電源スイッチをオンし、前記貨幣ユニットが筐体に対して閉鎖状態の場合に前記内部電源スイッチをオフするリードスイッチであることを特徴とする請求項５または６に記載の金銭処理装置。
【発明の詳細な説明】
【技術分野】
【０００１】
本発明は、装置の小型化を維持し、製造コストを抑えつつ、装置に対する不正防止を図ることができる金銭処理装置に関する。
【背景技術】
【０００２】
従来から、スーパーマーケットやコンビニエンスストア等の店舗には、客さばきや現金管理の厳正化のため、自動釣銭機が用いられている。自動釣銭機には、ＰＯＳレジスタ（Ｐｏｉｎｔ Ｏｆ Ｓａｌｅｓ）装置等が接続され、ＰＯＳレジスタ装置は、自動釣銭機に対して硬貨や紙幣等の金銭の入出金処理を指示する。この入出金処理には、釣銭処理も含まれる。
【０００３】
自動釣銭機は、入出金処理の厳正を期すため、電源供給が断たれた場合、硬貨が収納された硬貨収納ユニットや紙幣が収納された紙幣収納ユニットが開かないようにロック機構を設けている。
【０００４】
例えば、特許文献１，２には、棒金ドロアが筐体に収容されているとき棒金ドロアを筐体内にロックするための専用のロック手段が設けられている。
【先行技術文献】
【特許文献】
【０００５】
【特許文献１】特開２００６−２８５４７２号公報
【特許文献２】特開２０１５−２２８１６１号公報
【発明の概要】
【発明が解決しようとする課題】
【０００６】
ところで、自動釣銭機は、電源供給が断たれた場合、機器として完全に休止状態となる。この休止状態では、自動釣銭機に発生したイベントを記録することができない。例えば休止状態で硬貨収納ユニットや紙幣収納ユニットが開かれて不正に貨幣が抜かれても、硬貨収納ユニットや紙幣収納ユニットが開いたことを検出して記録することができない。このため、上述したように、自動釣銭機では、専用の電磁ロックなどのロック手段を設け、休止状態では硬貨収納ユニットや紙幣収納ユニットが開かないようにして不正の発生を防止している。
【０００７】
しかしながら、専用のロック手段を設けることは、自動釣銭機などの金銭処理装置の小型化を阻害するとともに製造コストがアップすることになる。
【０００８】
本発明は、上記に鑑みてなされたものであって、装置の小型化を維持し、製造コストを抑えつつ、装置に対する不正防止を図ることができる金銭処理装置を提供することを目的とする。
【課題を解決するための手段】
【０００９】
上述した課題を解決し、目的を達成するために、本発明にかかる金銭処理装置は、筐体からの引出及び開放が可能な貨幣ユニット内の貨幣の入出金処理を行う金銭処理装置であって、前記貨幣ユニット内に設けられた既存のアクチュエータに、電源断による休止状態で前記筐体に係合して前記貨幣ユニットの引出または開放をロックする係合部を設けたことを特徴とする。
【００１０】
また、本発明にかかる金銭処理装置は、上記の発明において、前記係合部は複数の既存のアクチュエータに設けられ、各係合部は、前記貨幣ユニットの引出及び開放の動作に対して段階的にロックすることを特徴とする。
【００１１】
また、本発明にかかる金銭処理装置は、上記の発明において、前記既存のアクチュエータは、搬送路上に設けられた切換ゲートであることを特徴とする。
【００１２】
また、本発明にかかる金銭処理装置は、上記の発明において、前記係合部を有する既存のアクチュエータは、鍵の開放動作に連動してロックを解除することを特徴とする。
【００１３】
また、本発明にかかる金銭処理装置は、上記の発明において、前記貨幣ユニットが前記筐体に対して引出状態または開放状態である否かを検出する開閉センサと、外部電源からの電源供給をオンオフする外部電源スイッチと、前記貨幣ユニット内に設けられた内部電源と、前記内部電源の電源供給を無電源でオンオフする内部電源スイッチと、前記貨幣ユニット内に設けられ前記外部電源及び前記内部電源に接続可能な制御部と、前記貨幣ユニット内に設けられ前記外部電源及び前記内部電源に接続可能な記憶部と、を備え、前記制御部は、前記貨幣ユニットが筐体からの引出状態または開放状態の場合、前記内部電源からの電源供給を受けて、前記開閉センサの検出結果を少なくとも前記記憶部に記憶することを特徴とする。
【００１４】
また、本発明にかかる金銭処理装置は、上記の発明において、前記内部電源は、外部通信接続ケーブルを介して供給される電源であることを特徴とする。
【００１５】
また、本発明にかかる金銭処理装置は、上記の発明において、前記内部電源スイッチは、前記貨幣ユニットが筐体からの引出状態または開放状態の場合に前記内部電源スイッチをオンし、前記貨幣ユニットが筐体に対して閉鎖状態の場合に前記内部電源スイッチをオフするメカスイッチであることを特徴とする。
【００１６】
また、本発明にかかる金銭処理装置は、上記の発明において、前記内部電源スイッチは、前記貨幣ユニットが筐体からの引出状態または開放状態の場合に前記内部電源スイッチをオンし、前記貨幣ユニットが筐体に対して閉鎖状態の場合に前記内部電源スイッチをオフするリードスイッチであることを特徴とする。
【発明の効果】
【００１７】
本発明によれば、貨幣ユニット内に設けられた既存のアクチュエータに、電源断による休止状態で筐体に係合して前記貨幣ユニットの引出または開放をロックする係合部を設けているので、装置の小型化を維持し、製造コストを抑えつつ、装置に対する不正防止を図ることができる。
【図面の簡単な説明】
【００１８】
【図１】図１は、本発明の実施の形態である金銭処理装置の構成を示す斜視図である。
【図２】図２は、金銭処理装置の制御系の構成を示すブロック図である。
【図３】図３は、図１に示した硬貨処理装置の内部構成を模式的に示す平面図である。
【図４】図４は、硬貨処理ユニットが筐体にロックされている状態とロック解除されている状態を示す模式図である。
【図５】図５は、硬貨処理ユニットが筐体から引き出された状態を示す模式図である。
【図６】図６は、硬貨処理ユニットの引出量を制限するロック機構を示す模式図である。
【図７】図７は、硬貨処理ユニットの引出量が制限されている状態を示す模式図である。
【図８】図８は、硬貨処理ユニットが筐体に対して閉鎖状態と引出状態の電源接続状態を示す模式図である。
【図９】図９は、図１に示した紙幣処理装置の内部構成を概念的に示す側面図である。
【発明を実施するための形態】
【００１９】
以下、添付図面を参照してこの発明を実施するための形態について説明する。
【００２０】
（金銭処理装置の構造）
図１は、本発明の実施の形態である金銭処理装置１０の構成を示す斜視図である。また、図２は、金銭処理装置１０の制御系の構成を示すブロック図である。ここで例示する金銭処理装置１０は、スーパーマーケットやコンビニエンスストア等の店舗においてＰＯＳレジスタ装置ＰＲに接続される自動釣銭機として用いられるものである。図１及び図２に示すように、金銭処理装置１０の上面には平坦面が形成され、この平坦面には上位装置であるＰＯＳレジスタ装置ＰＲが配置される。金銭処理装置１０は、硬貨の入出金を行う硬貨処理装置１と紙幣の入出金を行う紙幣処理装置２とを有する。硬貨処理装置１及び紙幣処理装置２は、直方体状を成す筐体に覆われ、それぞれが隣接して配置される。
【００２１】
硬貨処理装置１は筐体１ａから引出可能な硬貨処理ユニット１ｂの前端上面の右側に硬貨投入口３１を備える。硬貨処理ユニット１ｂの前面左側には、硬貨出金口３８が形成され、硬貨出金口３８から排出された硬貨は受け皿４０で受け止められる。また、硬貨処理ユニット１ｂの前面右側には、硬貨返却口３９を備える。一方、紙幣処理装置２も筐体２ａから引出可能な紙幣処理ユニット２ｂを有する。紙幣処理ユニット２ｂの前面上部には、紙幣投入口４１及び紙幣出金口４２が設けられる。
【００２２】
硬貨処理ユニット１ｂは前端上面の左側に表示部３及び操作入力部４を備える。表示部３及び操作入力部４は、紙幣処理装置２の表示部及び操作入力部でもある。制御部５及び記憶部６は、金銭処理装置１０内に設けられる。
【００２３】
硬貨処理ユニット１ｂは、各種センサ群１１及びアクチュエータ群１２を有する。また、紙幣処理ユニット２ｂは、各種センサ群２１及びアクチュエータ群２２を有する。
【００２４】
制御部５は、入出金制御部５ａを有する。入出金制御部５ａは、ＰＯＳレジスタ装置ＰＲから入金許可指令が与えられた後に貨幣が投入された場合に、入金許可指令に従って貨幣の入金処理を行い、かつＰＯＳレジスタ装置ＰＲから出金指令が与えられた場合に、出金指令に従って貨幣の出金処理を行うものである。また、入出金制御部５ａは、これらの入金処理及び出金処理を実行している間、実施した入金処理及び出金処理の内容を入出金情報６ａとして逐次記憶部６に格納する処理も行う。
【００２５】
また、制御部５は、開閉管理部５ｂを有する。開閉管理部５ｂは、開閉センサ１１ａ，２１ａの検出結果をもとに、硬貨処理ユニット１ｂ，紙幣処理ユニット２ｂが引き出された場合、あるいは、硬貨処理ユニット１ｂ，紙幣処理ユニット２ｂが開放された場合に、開閉情報６ｂとして記憶部６に記憶する。
【００２６】
（硬貨処理装置の内部構成）
図３は、図１に示した硬貨処理装置１の内部構成を模式的に示す平面図である。図３において、硬貨投入口３１は、投入された硬貨を装置本体の内部に受け入れるための開口である。硬貨投入口３１に投入された硬貨は、ＰＯＳレジスタ装置ＰＲ側からの入金許可指令を受け、図示せぬ投入検出センサによって検出された後、入金搬送部３２によって搬送される。入金搬送部３２内に設けられた検銭部３３は、硬貨の真贋及び金種を判定する。搬送された硬貨が正貨である場合、一時保留部３４に保留される。一方、搬送された硬貨が正貨でない場合、切換ゲートＧ及び硬貨出金口３８を介して受け皿４０に返却される。なお、ＰＯＳレジスタ装置ＰＲあるいは図示しない返却レバーからの返却指示があった場合、一時保留部３４に保留された硬貨は、切換ゲートＧ１を介して硬貨返却口３９に返却される。
【００２７】
その後、一時保留部３４は搬送路として機能し、一時保留部３４に保留された硬貨は、切換ゲートＧ１を介して搬送路である硬貨振分部３５に出力されて搬送される。硬貨振分部３５によって搬送される硬貨は、金種に応じて硬貨収納庫３６に収納されることになる。硬貨処理ユニット１ｂ内には、硬貨収納庫３６として、１円硬貨収納庫３６ａ、５０円硬貨収納庫３６ｂ、５円硬貨収納庫３６ｃ、１００円硬貨収納庫３６ｄ、１０円硬貨収納庫３６ｅ、５００円硬貨収納庫３６ｆの６つが設けてある。そして、各硬貨収納庫３６は、投入された硬貨を金種ごとに個別に収納するようにしている。
【００２８】
各硬貨収納庫３６に収納された硬貨は、出金搬送部３７及び切換ゲートＧ２を介して一時保留部３４に搬送することができる。一時保留部３４は、各硬貨収納庫３６に収納された硬貨を一旦空にして各硬貨収納庫３６の収納数を再計数する精査動作のための精査庫としても機能する。
【００２９】
その後、ＰＯＳレジスタ装置ＰＲ側からの出金指令に応じた金種の硬貨は、各硬貨収納庫３６から出金搬送部３７及び切換ゲートＧ２を介して一括して搬出され、硬貨出金口３８から外部に払い出される。
【００３０】
なお、硬貨振分部３５、出金搬送部３７、及び、一時保留部３４は、それぞれモータを用いて搬送駆動される。また、各硬貨収納庫３６の入口、出口には、それぞれ図示しない切換ゲートが配置され、ソレノイドによって駆動される。なお、切換ゲートＧ１，Ｇ２もソレノイドによって駆動される。
【００３１】
（硬貨処理ユニットのロック機構）
図４は、硬貨処理ユニット１ｂが筐体１ａにロックされている状態とロック解除されている状態を示す模式図である。また、図５は、硬貨処理ユニット１ｂが筐体１ａから引き出された状態を示す模式図である。
【００３２】
切換ゲートＧ２はソレノイドによって駆動されるアクチュエータ１２ａである。切換ゲートＧ２は、出金搬送部３７から搬送される硬貨の搬送先を硬貨出金口３８側と一時保留部３４側とに切り換える。図４（ａ）に示すように、切換ゲートＧ２の筐体１ａ側には突起形状の係合部５０が設けられ、ソレノイドに電流が供給されない休止状態で、係合部５０は、係合部５０に対応する位置で筐体１ａ側に設けられた凹部係合部５１に係合し、硬貨処理ユニット１ｂの筐体１ａからの引出をロックする。この休止状態では、出金搬送部３７から搬送される硬貨は一時保留部３４側に搬送される。
【００３３】
一方、図４（ｂ）に示すように、ソレノイドに電流が供給されると、アクチュエータ１２ａの直動軸は伸長し、切換ゲートＧ２の軸Ｃ２を中心に図上、時計回りに回転され、出金搬送部３７から搬送される硬貨を硬貨出金口３８側に搬送するように切り換えられる。このとき、係合部５０は、切換ゲートＧ２の回転に伴って、凹部係合部５１に対する係合が解除され、硬貨処理ユニット１ｂの筐体１ａからの引出が可能な状態となる。
【００３４】
係合部５０は、アクチュエータ１２ａによってロック状態とロック解除状態とに切り換えられるとともに、ソレノイドに電流が供給されない休止状態では、筐体１ａに対する硬貨処理ユニット１ｂの引出をロックする。このロック機構は、既存の切換ゲートＧ２のアクチュエータ１２ａの駆動を利用したものであり、ロック機構のための新たなロック手段を設ける必要がない。
【００３５】
このようなロック機構を設けると、金銭処理装置１０の電源が断となった場合でも、ロック機構は休止状態でロック状態を維持するため、不正な貨幣の引抜などの不正行為を確実に防止することができる。
【００３６】
なお、図５に示すように、硬貨処理ユニット１ｂを引き出す場合、硬貨処理ユニット１ｂに設けられた図示しない錠に鍵Ｋ１を指し込んで回転させ（図４（ｂ）参照）、この回転動作に連動してソレノイドの直動軸を伸長させればよい。
【００３７】
（硬貨処理ユニットの段階的ロック機構）
図６は、硬貨処理ユニット１ｂの引出量ｄを制限するロック機構を示す模式図である。また、図７は、硬貨処理ユニット１ｂの引出量ｄが制限されている状態を示す模式図である。
【００３８】
図６に示すように、上述したアクチュエータ１２ａによるロック機構に加えて、アクチュエータ１２ｂによるロック機構を設け、硬貨処理ユニット１ｂの引出量ｄを制限するようにしている。すなわち、段階的なロック機構を実現している。このロック機構は、硬貨振分部３５から５００円硬貨収納庫３６ｆへの振分を行う既存の切換ゲートＧ１０に設けられている。
【００３９】
図６（ａ）に示すように、切換ゲートＧ１０は、休止状態において、硬貨振分部３５から５００円硬貨収納庫３６ｆへの振分収納を閉塞しているとともに、ソレノイドの直動軸に付けられた係合部６０が筐体１ａに設けられた凹部係合部６１に係合される。
【００４０】
一方、図６（ｂ）に示すように、切換ゲートＧ１０は、ソレノイドに電流が流れると、直動軸が縮まり、切換ゲートＧ１０の軸Ｃ１０を中心に、図上、反時計回りに回転し、硬貨振分部３５から５００円硬貨収納庫３６ｆへの振分を行わせるゲート切換を行うとともに、係合部６０の凹部係合部６１への係合が解除される。なお、休止状態において、鍵Ｋ２の回転動作に連動してソレノイドを縮め、係合部６０の凹部係合部６１への係合解除を行うことができる。
【００４１】
図７は、係合部６０による段階的ロック動作を示している。係合部６０が凹部係合部６１に係合した状態では、硬貨処理ユニット１ｂは、凹部係合部６１の引出量ｄ分のみ引き出すことができる。すなわち、硬貨処理ユニット１ｂは、係合部５０によって引出が不可能となり、係合部５０のロック解除がなされた後でも、係合部６０によって引出量ｄのみしか引き出すことができない。これは、例えば、硬貨処理ユニット１ｂの上部に蓋が設けられた場合、引出量ｄを制限することによって、係合部６０の係合を解除しない限り、貨幣を取り出すための蓋が開かないようにするためである。これによって多段階のロック機構が実現でき、セキュリティーレベルを高めることができる。
【００４２】
なお、上述した係合部５０，６０によるロック機構は、筐体１ａから硬貨処理ユニット１ｂを引き出す動作をロックするものであったが、これに限らず、引き出した硬貨処理ユニット１ｂの蓋の開閉を、既存のアクチュエータを用いてロックするようにしてもよい。
【００４３】
（電源断による休止状態での開閉情報の取得）
ところで、上述した係合部５０，６０によるロック機構を設けても、不正に鍵などを用いて硬貨処理ユニット１ｂを引き出す場合がある。この実施の形態では、電源断による休止状態であっても、硬貨処理ユニット１ｂの引出や開放のイベントを開閉情報として記録することができるようにしている。
【００４４】
図８（ａ）は、硬貨処理ユニット１ｂが筐体１ａに対して閉鎖状態である場合における電源接続状態を示す模式図である。図８（ａ）に示すように、硬貨処理ユニット１ｂは、制御部５、記憶部６、内部電源７１、スイッチＳＷ２を有する。筐体１ａには、外部電源ＰＷのスイッチＳＷ１、開閉センサ１１ａ、係合突起７２、外部通信インターフェース７０を有する。なお、スイッチＳＷ１は、金銭処理装置１０の外部に設けられてもよい。
【００４５】
スイッチＳＷ１がオンのとき、外部電源ＰＷから制御部５、記憶部６に電源線を介して電源が供給される。スイッチＳＷ２は、硬貨処理ユニット１ｂが閉鎖状態である場合、係合突起７２によってオフ状態となっている。したがって、硬貨処理ユニット１ｂが閉鎖状態で、スイッチＳＷ１がオフのとき、制御部５、記憶部６には電源が供給されない。
【００４６】
ここで、図８（ｂ）に示すように、スイッチＳＷ１がオフ状態で、硬貨処理ユニット１ｂが引き出された場合、スイッチＳＷ２から係合突起７２が離隔し、スイッチＳＷ２はオンになる。スイッチＳＷ２がオンになると、内部電源７１から電源線を介して制御部５、記憶部６に電源が供給され、制御部５、記憶部６が駆動する。さらに、開閉センサ１１ａにも電源が供給されて開閉センサ１１ａが駆動する。制御部５の開閉管理部５ｂは、開閉センサ１１ａの検出結果を開閉情報６ｂとして記憶部６に記憶する。これによって、外部電源ＰＷから電源が供給されない状態で、硬貨処理ユニット１ｂが引き出されたイベントである開閉情報６ｂを記憶することができる。
【００４７】
これにより、スイッチＳＷ１がオフの休止状態のとき、硬貨処理ユニット１ｂの引出あるいは蓋の開放などの動作があった場合のみ、スイッチＳＷ２がオンとなって制御部５、記憶部６、開閉センサ１１ａに電源が供給されるので、開閉情報を記録できるとともに、省エネルギー化を実現できる。
【００４８】
内部電源７１は、リチウムイオン電池などのバッテリであるが、外部通信インターフェース７０の外部通信接続ケーブルを介して供給される電源としてもよい。例えば、外部通信インターフェース７０として、電源供給が可能なＵＳＢや、ＬＡＮのＰｏＥ（Power over Ethernet）を用いることができる。
【００４９】
なお、スイッチＳＷ２は、係合突起７２を用いた無電源のメカスイッチであったが、スイッチＳＷ２は、無電源スイッチであればよく、例えば、硬貨処理ユニット１ｂが引き出されたときにオンとなるリードスイッチであってもよい。
【００５０】
また、スイッチＳＷ２がオンになった場合における内部電源７１の消費を抑えるため、センサ群１１内の各センサやアクチュエータ群１２は、硬貨処理ユニットの開閉検知に関するもののみを動作させる制御を行うことが好ましい。また、動作するセンサなどは間欠動作させることが好ましい。あるいは、間欠動作周期を長くすることが好ましい。
【００５１】
（紙幣処理ユニットへの適用）
上述した実施の形態では、硬貨処理ユニット１ｂの引出あるいは開放に関するものであったが、筐体２ａ及び紙幣処理ユニット２ｂにも適用することができる。
【００５２】
図９は、図１に示した紙幣処理装置２の内部構成を概念的に示す側面図である。図９に示すように、紙幣処理装置２の紙幣処理ユニット２ｂは筐体２ａに覆われ、紙幣処理ユニット２ｂは、硬貨処理ユニット１ｂと同様に、筐体２ａから引出可能であるとともに、上面等に紙幣を取り出すための蓋が設けられている。
【００５３】
紙幣投入口４１から搬送される紙幣は、紙幣鑑別センサ４４によって鑑別された後、金種に応じて紙幣収納庫８１内の１０００円紙幣収納庫８１ｂ、混合紙幣収納庫（混合庫）８１ｃに収納される。混合庫８１ｃは、１０００円紙幣以外の紙幣を収納する。例えば、混合庫８１ｃは、１００００円紙幣や５０００円紙幣を混合して収納する。また、紙幣収納庫８１内には、精査庫８１ａが設けられている。精査庫８１ａは、各紙幣収納庫８１ｂ、８１ｃに収納された紙幣を一旦空にして各紙幣収納庫８１ｂ、８１ｃの収納枚数を再計数するための一時収納庫である。すなわち、精査庫８１ａは、精査動作時に用いられる。紙幣出金口４２は、紙幣収納庫８１ｂ、８１ｃから搬出された紙幣を外部に払い出すための開口であり、紙幣処理ユニット２ｂの前面下部に設けてある。
【００５４】
ここで、１０００円紙幣収納庫８１ｂと精査庫８１ａとの間、及び混合庫８１ｃと精査庫８１ａとの間は、紙幣搬送路８０が配置される。また、紙幣搬送路８０上で、精査庫８１ａとの出入り口に切換ゲートＧ３１、１０００円紙幣収納庫８１ｂとの出入り口に切換ゲートＧ３２、混合庫８１ｃとの出入り口に切換ゲートＧ３３が配置される。また、紙幣搬送路８０上に、搬送される紙幣の金種及び通過を検出する画像センサとしてのセンサＳ８０が配置されている。
【００５５】
ここで、例えば既存の切換ゲートＧ３１（アクチュエータ２２ａ）を切換ゲートＧ２と同様な係合部を設けたロック機構を設けることができる。また、例えば既存の切換ゲートＧ３３（アクチュエータ２２ｂ）を切換ゲートＧ１０と同様なロック機構を設けることができる。また、図８に示したスイッチＳＷ２や開閉センサ２１ａなどを設けて、休止状態における開閉情報の記憶を省エネルギー化して行う構成も適用することができる。
【符号の説明】
【００５６】
１  硬貨処理装置
１ａ，２ａ  筐体
１ｂ  硬貨処理ユニット
２  紙幣処理装置
２ｂ  紙幣処理ユニット
３  表示部
４  操作入力部
５  制御部
５ａ  入出金制御部
５ｂ  開閉管理部
６  記憶部
６ａ  入出金情報
６ｂ  開閉情報
１０  金銭処理装置
１１，２１  センサ群
１１ａ，２１ａ  開閉センサ
１２，２２  アクチュエータ群
１２ａ，１２ｂ，２２ａ，２２ｂ  アクチュエータ
３１  硬貨投入口
３２  入金搬送部
３３  検銭部
３４  一時保留部
３５  硬貨振分部
３６  硬貨収納庫
３６ａ  １円硬貨収納庫
３６ｂ  ５０円硬貨収納庫
３６ｃ  ５円硬貨収納庫
３６ｄ  １００円硬貨収納庫
３６ｅ  １０円硬貨収納庫
３６ｆ  ５００円硬貨収納庫
３７  出金搬送部
３８  硬貨出金口
３９  硬貨返却口
４０  受け皿
４１  紙幣投入口
４２  紙幣出金口
４４  紙幣鑑別センサ
５０，６０  係合部
５１，６１  凹部係合部
７０  外部通信インターフェース
７１  内部電源
７２  係合突起
８０  紙幣搬送路
８１  紙幣収納庫
８１ａ  精査庫
８１ｂ  １０００円紙幣収納庫
８１ｃ  混合庫
Ｇ，Ｇ１，Ｇ２，Ｇ１０，Ｇ３１〜Ｇ３３  切換ゲート
ＰＲ  ＰＯＳレジスタ装置
ＰＷ  外部電源
Ｓ８０  センサ
ＳＷ１，ＳＷ２  スイッチ
【図１】
2018010351.tif 000003
【図２】
2018010351.tif 000004
【図３】
2018010351.tif 000005
【図４】
2018010351.tif 000006
【図５】
2018010351.tif 000007
【図６】
2018010351.tif 000008
【図７】
2018010351.tif 000009
【図８】
2018010351.tif 000010
【図９】
2018010351.tif 000011